(57)【特許請求の範囲】
【請求項１】
変調波と無変調波とを選択的に外部へ送信し、外部から応答信号を受信する送受信装置であって、
所定の搬送波を生成する発信器と、
前記発信器の生成した搬送波を変調して変調波を生成する変調器と、
前記変調器によって変調された変調波、または変調されない無変調波を送信する送信手段と、
前記送信手段が前記無変調波を送信するときは、前記変調器をバイパスして前記発信器と前記送信手段とを直接接続する制御手段とを含み、
前記発信器を前記送信手段に直接接続することによって前記変調器をバイパスするバイパス回路をさらに含み、
前記送信手段が前記無変調波を送信するときは、前記制御手段は、前記バイパス回路を経由して前記無変調波を前記送信手段に送信し、
前記発信器と前記送信手段との間には、前記バイパス回路または前記変調器のいずれかを経由するためのスイッチが設けられ、
前記制御手段は、前記発信器を前記変調器に接続するか、または、前記送信手段に直接接続するかの選択を、前記スイッチを制御して行ない、
それによって、前記送信手段から前記変調波または前記無変調波のいずれかが送信される、送受信装置。
【請求項２】
変調波と無変調波とを選択的に外部へ送信し、外部から応答信号を受信する送受信装置であって、
所定の搬送波を生成する発信器と、
データに応じて生成されたベースバンド信号を入力し、前記発信器の生成した搬送波を前記ベースバンド信号によって変調して変調波を生成する変調器と、
前記変調器によって変調された変調波、または無変調波を送信する送信手段とを含み、
前記送信手段が前記無変調波を送信するときは、前記変調器への前記ベースバンド信号の入力を遮断する遮断手段を含む、送受信装置。
【請求項３】
前記変調器は、前記ベースバンド信号を入力する入力端子、または直流電圧源のいずれかに接続するためのスイッチを含み、
前記遮断手段は、前記変調器への前記ベースバンド信号の入力の遮断を、前記スイッチを前記直流電圧源に接続することによって行なう、請求項２に記載の送受信装置。
【請求項４】
変調波および無変調波を選択的に外部へ送信する変調集積回路であって、
外部から搬送波を入力する搬送波入力端子と、
前記搬送波入力端子から入力された搬送波を変調する変調器と、
前記変調器で変調された変調波、または無変調波を出力する出力端子と、
外部からの切替信号に応じて、変調波を出力するときは、前記搬送波入力端子から入力された搬送波を前記変調器を経由して、無変調波を出力するときは、前記変調器を経由することなく直接、前記出力端子に接続する接続手段とを含み、
前記発信器を前記送信手段に直接接続することによって前記変調器をバイパスするバイパス回路をさらに含み、
前記送信手段が前記無変調波を送信するときは、前記制御手段は、前記バイパス回路を経由して前記無変調波を前記送信手段に送信し、
前記発信器と前記送信手段との間には、前記バイパス回路または前記変調器のいずれかを経由するためのスイッチが設けられ、
前記制御手段は、前記発信器を前記変調器に接続するか、または、前記送信手段に直接接続するかの選択を、前記スイッチを制御して行ない、
それによって、前記送信手段から前記変調波または前記無変調波のいずれかが送信される、変調集積回路。
【請求項５】
変調波および無変調波を選択的に外部へ送信する変調集積回路であって、
外部から入力され、データに応じて生成されたベースバンド信号を入力する入力端子と、
前記入力端子に接続可能に設けられ、外部から入力された搬送波を前記ベースバンド信号によって変調して変調波を生成する変調器と、
前記変調器で変調された変調波または無変調波を出力する出力端子とを含み、
外部からの切替信号に応じて、前記出力端子から無変調波を出力するときは、前記変調器への前記入力端子との接続を遮断する遮断手段とを含む、変調集積回路。
【請求項６】
請求項４に記載の集積回路を備えたＲＦＩＤリーダライタ。
【請求項７】
請求項５に記載の集積回路を備えたＲＦＩＤリーダライタ。
【発明の詳細な説明】
【技術分野】
【０００１】
この発明は、送受信装置、変調集積回路およびＲＦＩＤリーダライタに関し、特に、受信時のＳＮ比(signal to noise ratio)を向上できる、送受信装置、変調集積回路およびＲＦＩＤリーダライタに関する。
【背景技術】
【０００２】
従来のＲＦＩＤ（Radio Frequency IDentification）リーダライタ（非接触ICカード読取／書込装置）が、たとえば、特開２００４−２０６２４５号公報（特許文献１）に開示されている。図７は、特許文献１に開示されたＲＦＩＤリーダライタ（以下、「リーダライタ」と省略する）６０の要部を示すブロック図である。
【０００３】
図７を参照して、従来のリーダライタ６０は、無線送信部６１と、無線受信部７１と、無線送信部６１からの送信信号をアンテナ６７へ導き、アンテナ６７で受信した外部のタグ（無線ＩＣカード）５０からの受信信号を無線受信部７１へ導くサーキュレータ６６とを含み、アンテナ６７を介してタグ５０と送受信を行なう。
【０００４】
無線送信部６１は、所定の周波数の搬送波を生成する発振器６４と、搬送波を入力された送信ベースバンド信号で変調する変調器６２と、電力増幅器６３と、マッチング回路６５とを含む。無線受信部７１は復調器７２を含み、復調器７２で受信ベースバンド信号が生成される。
【０００５】
リーダライタ６０とタグ５０との通信は以下のように行なわれる。送信データ伝送の場合は、発振器６４からの搬送波を変調器６２へ入力し、データ（送信ベースバンド信号）によりこれを変調する。そしてこれを電力増幅器６３で増幅し、マッチング回路６５を経て、サーキュレータ６６を介してアンテナ６７から送信する。また、電力伝送のみの場合は、発振器６４からの搬送波を無変調のままで送信する。リーダライタ６０からタグ５０への送信は、電磁結合によりアンテナ６７が生成する磁束がタグ５０の図示のないアンテナコイルと鎖交し、誘起電圧を励起することにより行われる。タグ５０では、アンテナコイルの誘起電圧をタグ５０内の整流回路（図示せず）で整流してタグ５０内の各回路の電源として用いる。また、同じ誘起電圧を復調回路（図示せず）へ導いてリーダライタ６０からのデータを復調する。
【０００６】
次に、タグ５０よりリーダライタ６０へのデータ伝送時には、リーダライタ６０は無変調の搬送波を送信して、タグ５０へ電力供給のみを行っている。タグ５０側では、内蔵のメモリ（図示せず）から読み出されたデータに応じた信号が出力され、それを受信信号としてアンテナ６７で受信し、復調器７２で復調する。
【０００７】
図８は、リーダライタ６０からタグ５０にコマンドが送信された後の、リーダライタ６０とタグ５０との間の送信信号等を同一時間軸で示した図である。図８（Ａ）は、リーダライタ６０のコマンド送信とそれに対するレスポンス受信タイミングを示す図であり、図８（Ｂ）は、タグ５０のコマンド受信とそれに対するレスポンス送信タイミングを示す図である。図８（Ｃ）は、リーダライタ６０からタグ５０への送信信号の波形を示す図である。図８（Ｄ）は、タグ５０での動作とレスポンスデータに応じた反射係数の切替の様子を示す図であり、図８（Ｅ）は、タグ５０からリーダライタ６０への送信信号のレスポンス波形を示す図である。
【０００８】
図８を参照して、リーダライタ６０とタグ５０との通信は次のように行われる。図８（Ａ）に示すように、リーダライタ６０からタグ５０にコマンドが送信された後、タグ側のレスポンスタイミング時にリーダライタ６０からは無変調波が送信される（図８（Ｃ））。タグ側でのレスポンス返信は、図８（Ｂ）、（Ｄ）および（Ｅ）に示すように、この無変調波をバックスキャッタすることで送信している。ここでバックスキャタとは、タグ５０において、タグ５０のアンテナによる反射で、反射係数Ａと反射係数Ｂとに切替ることをいう。すなわち、タグ５０側ではリーダライタ６０から送られる無変調波の反射率をバックスキャッタによって変化させることにより、レスポンスデータを変調し（図８（Ｅ））、リーダライタ６０に返信する。リーダライタ６０ではこの返信された信号を復調器７２で復調することで、タグ５０からのレスポンスデータを得る。
【特許文献１】特開２００４−２０６２４５号公報（段落番号００３３、図２等）
【発明の開示】
【発明が解決しようとする課題】
【０００９】
上記したように、リーダライタ６０は、タグ５０からのレスポンス受信時に無変調波を同時に送信する必要がある。しかし、この際（受信時）、サーキュレータ６６において、送信信号の一部が受信部に回り込むことにより、復調器７２が飽和して受信感度が低下する等の問題が発生しうる。このような場合に対処するためには、無線受信部７１の前段に減衰器（図７において８１で示す）を挿入することで、送信信号の回り込みで受信部が飽和しないリーダライタを実現することも考えられる。
【００１０】
しかしながら、このようにしても、以下のような問題が生じうる。すなわち、タグ５０からの受信タイミング時に無線送信部６１では無変調波を送出しているが、この無変調波は、完全な無変調波とすることが困難であり、実際上は送信ベースバンド信号に含まれるノイズ成分や変調器自身で発生するノイズによって、搬送波が変調される。
【００１１】
このため、無変調波が受信部に回り込むとこのノイズ成分が復調され、受信ベースバンド信号のＳＮ比が悪化するという問題がある。以下に、このＳＮ比が悪化するメカニズムを説明する。
【００１２】
図９は、図７に示したリーダライタ６０において、ＳＮ比が悪化するメカニズムを説明するための模式図である。図９において横軸は周波数を示し、縦軸は、信号の強度を表わしている。図９は（Ａ）から（Ｆ）までの７つの信号を含むが、それぞれの信号の得られる位置は、図７において、それぞれの位置をアルファベットで示している。
【００１３】
図９（Ａ）は、発振器６４から出力される搬送波を示す図であり、所定の周波数ｆｃのみを有している。図９（Ｂ）は、搬送波が電力増幅器６３で増幅され、無線送信部６１から出力される信号を示す図であり、所定の周波数ｆｃだけでなく、送信ベースバンド信号に含まれるノイズや変調器６１自身で発生するノイズも含まれている。ここでノイズレベルは斜線で示している。この図でわかるように、搬送波のレベルに対するノイズのレベル（Ｃ／Ｎ比：Carrier to Noise ratio）は、タグ５０の動作に何ら影響のない十分高いレベルである。図９（Ｃ）は、送信信号による回り込み信号を示す図であり、送受信間のアイソレーション分だけ搬送波とノイズレベルとが低下している。図９（Ｄ）は、タグ５０からの受信信号を示し、空間損失によってノイズと信号成分双方が減衰しているが、Ｓ／Ｎ比は十分高いレベルである。図９（Ｅ）は、図９（Ｃ）で表わされた送信回り込み信号と図９（Ｄ）で表わされたタグ５０からの受信信号の合成された信号で、図７における減衰器８１への入力信号になる。この信号は、送信回り込み信号に含まれるノイズのため、タグ５０から受信信号のＳＮ比が低下する。
【００１４】
図９（Ｆ）は受信部７１への入力信号で、減衰器８１ではノイズレベルとともに信号レベルも低下するため、ＳＮ比は向上しない。この信号が復調器７２に入力されて復調され、受信ベースバンド信号となるため、これらの図から、送信信号の回り込みが多くなるほど、受信ベースバンド信号のＳＮ比が悪化することがわかる。
【００１５】
この発明は、上記のような問題点に着目してなされたもので、タグとの通信等に使用される、変調波と無変調波とを選択的に外部へ送信し、外部から応答信号受信する送受信装置、変調集積回路およびＲＦＩＤリーダライタにおいて、受信時におけるＳＮ比を向上させることを目的とする。
【課題を解決するための手段】
【００１６】
この発明に係る、変調波と無変調波とを選択的に外部へ送信し、外部から応答信号を受信する送受信装置は、所定の搬送波を生成する発信器と、発信器の生成した搬送波を変調して変調波を生成する変調器と、変調器によって変調された変調波、または無変調波を送信する送信手段とを含み、送信手段が無変調波を送信するときは、発信器を送信手段に直接接続するよう制御する制御手段を含む。
【００１７】
無変調波の送信時には、ノイズ源となりうる変調器を経由することなく発信器を直接送信手段に接続するため、ノイズの少ない無変調波を送信できる。したがって、この送信信号が回り込み信号となってもそのノイズの影響は少ない。
【００１８】
その結果、変調波と無変調波とを選択的に外部へ送信し、外部から応答信号受信する送受信装置の受信時におけるＳＮ比を向上させることができる。
【００１９】
好ましくは、発信器を送信手段に直接接続することによって変調器をバイパスするバイパス回路をさらに含み、送信手段が無変調波を送信するときは、制御手段は、バイパス回路を経由して無変調波を送信手段に送信する。
【００２０】
さらに好ましくは、発信器と送信手段との間には、バイパス回路または変調器のいずれかを経由するためのスイッチが設けられ、制御手段は、発信器を変調器に接続するか、または、送信手段に直接接続するかの選択を、スイッチを制御して行ない、それによって、送信手段から変調波または無変調波のいずれかが送信される。
【００２１】
この発明の他の局面においては、変調波と無変調波とを選択的に外部へ送信し、外部から応答信号受信する送受信装置は、所定の搬送波を生成する発信器と、データに応じて生成されたベースバンド信号を入力し、発信器の生成した搬送波をベースバンド信号によって変調して変調波を生成する変調器と、変調器によって変調された変調波、または無変調波を送信する送信手段とを含み、送信手段が無変調波を送信するときは、変調器へのベースバンド信号の入力を遮断する遮断手段を含む。
【００２２】
無変調波の送信時には、ノイズ源となりうるベースバンド信号の入力を遮断するため、ベースバンド信号のノイズのない無変調波を送信できる。したがって、この送信信号が回り込み信号となってもそのノイズの影響は少ない。
【００２３】
その結果、変調波と無変調波とを選択的に外部へ送信し、外部から応答信号受信する送受信装置の受信時におけるＳＮ比を向上させることができる。
【００２４】
好ましくは、変調器は、ベースバンド信号を入力する入力端子、または直流電圧源のいずれかに接続するためのスイッチを含み、遮断手段は、変調器へのベースバンド信号の入力の遮断を、スイッチを直流電圧源に接続することによって行なう。
【００２５】
この発明のさらに他の局面においては、変調波および無変調波を選択的に外部へ送信する変調集積回路は、外部から搬送波を入力する搬送波入力端子と、搬送波入力端子から入力された搬送波を変調する変調器と、変調器で変調された変調波、または無変調波を出力する出力端子と、外部からの切替信号に応じて、変調波を出力するときは、搬送波入力端子から入力された搬送波を変調器を経由して、無変調波を出力するときは、変調器を経由することなく直接、出力端子に接続する接続手段とを含む。
【００２６】
この発明のさらに他の局面においては、変調波および無変調波を選択的に外部へ送信する変調集積回路は、外部から入力され、データに応じて生成されたベースバンド信号を入力する入力端子と、入力端子に接続可能に設けられ、外部から入力された搬送波をベースバンド信号によって変調して変調波を生成する変調器と、変調器で変調された変調波または無変調波を出力する出力端子とを含み、外部からの切替信号に応じて、出力端子から無変調波を出力するときは、変調器への前記入力端子との接続を遮断する遮断手段とを含む。
【００２７】
好ましくは、ＲＦＩＤリーダライタは、上記の集積回路を備える。
【発明を実施するための最良の形態】
【００２８】
以下、この発明の一実施の形態を図面を参照して説明する。図１および図２はこの発明の一実施の形態に係る送受信装置をリーダライタに適用した場合の、リーダライタの要部を示すブロック図である。図１を参照して、リーダライタ１０は、搬送波を生成する発信器の一例としての発振器１４と、無線送信部１１と、無線受信部１８と、無線送信部１１からの送信信号を送信手段となるアンテナ１６へ導き、アンテナ１６で受信した外部のタグ５０からの受信信号を減衰器１７を介して無線受信部１８へ導くサーキュレータ１５を含み、アンテナ１６を介してタグ５０との送受信を行なう。無線受信部１８は従来と同様に復調器２０とアンプ１９とを含み、アンプ１９で増幅された信号が受信ベースバンド信号として取り出される。
【００２９】
無線送信部１１は、送信ベースバンド信号を受けて発振器１４からの搬送波を変調する変調器１２と、パワーアンプ１３と、発振器１４とパワーアンプ１３との間をバイパスするバイパス回路２３と、搬送波を変調器１２を経由させるか、バイパス回路２３を経由させるかを選択するためのスイッチ２２ａ，２２ｂとを含む。
【００３０】
なお、このスイッチ２２ａ，２２ｂを操作するための切替制御信号は、リーダライタ１０全体を制御する制御回路２１から出力される。
【００３１】
次に、リーダライタ１０の動作について説明する。この実施の形態においては、変調時と無変調時とでは制御回路２１からの切替制御信号によってスイッチ２２ａ，２２ｂの接続を切替る。すなわち、変調時（コマンド送信時）にはこの図１に示すように、スイッチ２２ａ，２２ｂを変調器１２側に接続する。それによって、発振器１４と変調器１２とが接続されて、搬送波信号が変調器１２に入力され、変調される。
【００３２】
一方、無変調時（レスポンス受信時）には、図２に示すように、スイッチ２２ａ，２２ｂをバイパス回路２３側に接続し、搬送波信号は変調器１２を介さずにバイパス回路２３を通り、直接パワーアンプ１３のような、次段の回路に接続される。すなわち、この実施の形態においては、スイッチ２２ａ，２２ｂ、バイパス回路２３およびスイッチ２２ａ，２２ｂの切替を行なうスイッチ切替信号を出力する制御回路２１とで制御手段、または接続手段が構成されている。
【００３３】
このように構成することにより、無変調時は搬送波信号が直接送信されるため、送信ベースバンド信号に含まれるノイズや変調器で発生するノイズが送信信号として送信されなくなる。
【００３４】
したがって、無変調波（送信信号）が受信部に回り込むことで、このノイズ成分が復調され、受信ベースバンド信号のＳＮ比が悪化するという問題点が原理上発生しなくなる。
【００３５】
その結果、受信時のＳＮ比が向上し、通信距離の向上や受信性能の安定化するという効果が得られる。
【００３６】
次に、上記実施の形態の変形例について説明する。変形例は、変調時と無変調時とで送信レベルに差が生じる場合に対処するもので、バイパス回路２３、または変調器１２の搬送波入力端子直前にゲイン調整回路を挿入することにより、変調時と無変調時とのレベルに差を生じさせないようにしている。
【００３７】
図３は、この変形例における、無線送信部１１ａを示す図であり、図１における無線送信部１１に対応する。図３を参照して、変形例における無線送信部１１ａには、変調時と無変調時とで送信レベルに差が生じないように、変調器１２の搬送波入力端子直前にゲイン調整回路３３を設けている。なお、このゲイン調整回路は、バイパス回路２３に設けてもよい。この場合の例を図３に点線３３ａで示している。
【００３８】
次に、この発明の他の実施の形態について説明する。図４は、この発明の他の実施の形態に係るリーダライタの構成を示すブロック図であり、図１および図２において、一点鎖線で囲んだ、Ａで示す部分に対応する図である。これ以外の部分については、同じ構成であるので、図面および説明を省略する。図４（Ａ）は先の実施の形態における図１（変調時）に対応し、図４（Ｂ）は、図２（無変調時）に対応する。
【００３９】
図４を参照して、この実施の形態におけるリーダライタ３０の送信部３１においては、先の実施の形態におけるスイッチ２２ａ，２２ｂおよびバイパス回路２３に代えて、分配器２４と、分配器２４または変調器１２のいずれかとパワーアンプ１３とを接続するスイッチ２５とを設けている。すなわち、スイッチ２５を切替ることによって、発振器１４の搬送波が変調器１２を経由または経由しないで、送信手段としてのアンテナ１６を介して出力される。なお、ここでは、分配器２４、スイッチ２５および制御回路２１によって、制御手段が構成されている。
【００４０】
この場合も先の実施の形態と同様の効果を発揮する。この例においては、先の実施の形態に加えて、分配器２４によって、変調器１２とスイッチ２５とへの分配割合を任意の比に設定できるため、先の実施の形態で述べた、変調時と無変調時とのレベル差を調整（レベル差が発生しないような比に設定）できるとともに、スイッチの数を減らすことによる、コストダウンの効果も得ることができる。
【００４１】
次にこの発明のさらに他の実施の形態について説明する。この実施の形態は、変調器１２自身で発生するノイズが十分に低く、変調器１２のノイズが無線受信部１８に廻り込んでも受信ＳＮ比に影響を与えないレベルで、送信ベースバンド出力部で発生するノイズが支配的である場合に適応される。
【００４２】
図５はこの実施の形態に係るリーダライタのブロック図である。ここでも、図１および図２において、Ａで示す部分に対応する図である。これ以外の部分については、同じ構成であるので、図面および説明を省略する。図５（Ａ）は先の実施の形態における図１（変調時）に対応し、図５（Ｂ）は、図２（無変調時）に対応する。
【００４３】
図５を参照して、この実施の形態におけるリーダライタ４０の送信部４１においては、変調器１２は発振器１４に接続されている。変調器１２はスイッチ２６を介して送信ベースバンド信号を出力する、送信ベースバンド出力部２７または直流電圧源２９を介して接地された終端抵抗２８のいずれかに接続可能である。
【００４４】
すなわち、この実施の形態においては、変調時（コマンド送信時）には送信ベースバンド信号を変調器１２に入力し、無変調時（レスポンス受信時）には、送信ベースバンド信号を変調器１２から切り離すようにスイッチ２６を制御回路２１が制御する。したがって、ここでは、制御回路２１、スイッチ２６が、送信器としてのアンテナ１６が無変調波を送信するときに変調器１２へのベースバンド出力部（回路）との接続を遮断する遮断手段として作動する。
【００４５】
変調器自身で発生するノイズが十分に低い場合、このように構成することにより、無変調時はベースバンド信号を生成する回路から発生するノイズが変調器に入力されないため、このノイズが送信信号として送信されなくなる。
【００４６】
よって無変調波（送信信号）が無線受信部１８に回り込むことで、このノイズ成分が復調され、受信ベースバンド信号のＳＮ比が悪化するという問題点が原理上発生しなくなるため、今回の発明を適用することで受信時のＳＮ比が向上するため、少ない部品点数で通信距離の向上や受信性能の安定化するという効果を発揮する。
【００４７】
なお、上記各実施の形態におけるリーダライタとしては、任意の周波数帯の電波を使用できるが、受信時のＳＮ比を向上できることから、通信距離の向上や受信性能の安定化が図れるため、特に周波数が８６０〜９６０ＭＨｚ、および２．４５ＧＨｚのＵＨＦ帯において、効果が大きい。
【００４８】
また、上記実施の形態においては、送受信装置の一例としてＲＦＩＤリーダライタを例にあげて説明したが、これに限らず、これ以外の送信および受信機能を有する送受信装置、たとえば、レーダ等に適用してもよい。
【００４９】
さらに、そのような送受信装置の有する機能を、１つのチップ上に送受信用の集積回路、または送信用の集積回路として形成してもよい。
【００５０】
この場合の例について、図６を参照して説明する。図６は、変調器と、変調器をバイパスするためのスイッチとを内蔵した変調ＩＣ（Integrated Circuit)の構成を示すブロック図である。変調ＩＣは、基本的に、図１に示した無線送信部１１からパワーアンプ１３を除いた部分で構成されている。
【００５１】
図６（Ａ）は、変調ＩＣの第１の例を示すブロック図であり、上記した図１に対応するものである。図６（Ａ）を参照して、変調ＩＣ３５ａ（図中点線で囲んだ部分）は、ベースバンド信号を入力する入力端子３６ａと、変調器１２と、変調器１２をバイパスするためのバイパス回路２３およびスイッチ２２ａ，２２ｂと、これらのスイッチ２２ａ，２２ｂを切替るための切替信号を入力する入力端子３７ａと、搬送波を入力する搬送波入力端子３８ａと、変調波または無変調波を出力する出力端子３９ａとを含む。この変調ＩＣ３５ａの動作は、図１に示した実施の形態における対応する部分と同じであるので、その説明は省略する。
【００５２】
図６（Ｂ）は、変調ＩＣの第２の例を示すブロック図である。図６（Ｂ）を参照して、この変調ＩＣ３５ｂは、図４（Ａ）に対応するもので、ベースバンド信号を入力する入力端子３６ｂと、変調器１２と、変調器１２をバイパスするための分配器２４およびスイッチ２５と、このスイッチ２５を切替るための切替信号を入力する入力端子３７ｂと、搬送波を入力する搬送波入力端子３８ｂと、変調波または無変調波を出力する出力端子３９ｂとを含む。
【００５３】
図６（Ｃ）は、変調ＩＣの第３の例を示すブロック図である。図６（Ｃ）を参照して、この変調ＩＣ３５ｃは、図５（Ａ）に対応するもので、ベースバンド信号または直流電圧源２９を入力する入力端子３６ｃ、３６ｄと、変調器１２と、ベースバンド信号、または直流電圧源のいずれかを変調器１２に接続するためのスイッチ２６と、このスイッチ２６を切替るための切替信号を入力する入力端子３７ｃと、搬送波を入力する搬送波入力端子３８ｃと、変調波を出力する出力端子３９ｃとを含む。
【００５４】
また、上記実施の形態においては、搬送波を生成するための発信器として、所定の周波数で発振する発振器を用いる例について説明したが、これに限らず、搬送波を生成できるものであれば任意の発信器を採用してもよい。
【００５５】
変調ＩＣ３５ｂおよび３５ｃの動作も、上記した実施の形態における対応する部分と同じであるので、その説明は省略する。
【００５６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００５７】
この発明に係る送受信装置は、受信時におけるＳＮ比を向上できるため、送受信装置として有利に使用される。
【図面の簡単な説明】
【００５８】
【図１】この発明の一実施の形態に係るリーダライタの要部を示すブロック図であり、変調時の状態を示す図である。
【図２】リーダライタの要部を示すブロック図であり、無変調時の状態を示す図である。
【図３】この発明の他の実施の形態に係るリーダライタの要部を示すブロック図である。
【図４】この発明のさらに他の実施の形態に係るリーダライタの要部を示すブロック図である。
【図５】この発明のさらに他の実施の形態に係るリーダライタの要部を示すブロック図である。
【図６】この発明のさらに他の実施の形態に係るリーダライタの要部を示すブロック図である。
【図７】先行技術文献に開示されたリーダライタの要部を示すブロック図である。
【図８】リーダライタからタグにコマンドが送信された後の、両者間の送信信号等を同一時間軸で示した図である。
【図９】ＳＮ比が悪化するメカニズムを説明するための模式図である。
【符号の説明】
【００５９】
１０，３０，４０  ＲＦＩＤリーダライタ、１１，３１，４１  無線送信部、１２  変調器、１３  パワーアンプ、１４  発振器、１５  サーキュレータ、１６  アンテナ、１７  減衰器、１８  無線受信部、１９  アンプ、２０  復調器、２１  制御回路、２２  スイッチ、２３  バイパス回路、２４  分配器、２５，２６  スイッチ、２８  終端抵抗、２９  直流電圧源、３０  タグ。
【図１】
0004604964.tif 000002
【図２】
0004604964.tif 000003
【図３】
0004604964.tif 000004
【図４】
0004604964.tif 000005
【図５】
0004604964.tif 000006
【図６】
0004604964.tif 000007
【図７】
0004604964.tif 000008
【図８】
0004604964.tif 000009
【図９】
0004604964.tif 000010